(57)【要約】【課題】  基礎内側面と土間コンクリートとの境界部分に生じた間隙に、防蟻材を充填しやすい床下構造を提供することにより、防蟻処理を行うための作業にかかる手間を軽減することを目的とする。【解決手段】  建築物Ｔの基礎１００で囲まれた床下部分に、断熱パネル１３０を配置した断熱床下構造であって、床下部分の土間１１０に基礎１００の内側面に沿った状態で土間コンクリート１２０が配置され、基礎１００の側面１０２ａのうち土間コンクリート１２０の上面より上側に位置する部分から土間コンクリート１２０の上面に至る領域を被覆するように前記断熱パネル１３０が配置され、基礎１００の内側面１０２ａと土間コンクリート１２０との境界部分１４０に対して、断熱パネル１３０の内側面側から防蟻材を充填するための空間部１４２が形成されている【選択図】      図１
2005083137.tif 000002
【特許請求の範囲】
【請求項１】
建築物の基礎で囲まれた床下部分に断熱材を配置した断熱床下構造であって、
前記床下部分の土間部分に基礎内側面に沿った状態で土間コンクリートが配置され、
前記基礎内側面のうち前記土間コンクリートの上面より上側に位置する部分から前記土間コンクリートの上面に至る領域を被覆するように前記断熱材が配置され、
前記基礎内側面と前記土間コンクリートとの境界部分に対して前記断熱材の内側面側から防蟻材を充填するための空間部が形成されている
ことを特徴とする断熱床下構造。
【請求項２】
請求項１記載の断熱床下構造において、
前記断熱材は、前記土間コンクリートの上面を被覆する土間側断熱材と、前記基礎内側面を被覆する基礎側断熱材とを備え、
前記土間側断熱材と前記基礎側断熱材とが所定間隔を空けて配置されることにより両断熱材の間に前記空間部が形成されている
ことを特徴とする断熱床下構造。
【請求項３】
請求項２記載の断熱床下構造において、
前記土間側断熱材の下端部分及び前記基礎側断熱材の外端部分に各々傾斜面が形成され、
この傾斜面同士が一定間隔を空けて対向するように配置されることにより、
前記断熱材の内側面から前記基礎内側面と前記土間コンクリートとの境界部分に向けて略一定の隙間をもつ前記空間部が形成された
ことを特徴とする断熱床下構造。
【請求項４】
請求項１〜３のいずれかに記載の断熱床下構造において、
前記空間部は、前記断熱材の内側面から前記基礎内側面と前記土間コンクリートとの境界部分に向けて略一直線の隙間をもつ形状に形成された
ことを特徴とする断熱床下構造。
【請求項５】
請求項１〜４のいずれかに記載の断熱床下構造において、
前記空間部は、前記基礎内側面と前記土間コンクリートとの境界部分に沿って延びる形状に形成された
ことを特徴とする断熱床下構造。
【請求項６】
請求項１〜５のいずれかに記載の断熱床下構造において、
前記土間コンクリートと前記土間との間に遮断シートが配置され、
この遮断シートの端部は、前記基礎内側面に当接されている
ことを特徴とする断熱床下構造。
【請求項７】
請求項１〜６のいずれかに記載の断熱床下構造において、
前記基礎内側面に沿った土間部分に防蟻性能を有する土間用防蟻材を配置した
ことを特徴とする断熱床下構造。
【請求項８】
請求項１〜７のいずれかに記載の断熱床下構造において、
前記断熱材は、前記断熱材に形成された前記空間部の少なくとも一部を埋めるように着脱可能に設置されるコーナー断熱材を有する
ことを特徴とする断熱床下構造。
【請求項９】
請求項８記載の断熱床下構造において、
前記断熱材のうち、前記空間部に臨む面は、前記空間部の断面積が前記空間部の奥側から開口側に向かって大きくなるように傾斜面とされ、
前記コーナー断熱材には、前記傾斜面と対向する傾斜面が形成された
ことを特徴とする断熱床下構造。
【請求項１０】
請求項８又は９記載の断熱床下構造において、
前記コーナー断熱材は、
前記土間コンクリートの上面と前記基礎内側面との境界部分を覆う位置に配置された境界部分ユニットと、
前記土間側断熱材及び前記基礎側断熱材のうち少なくとも一方の断熱材と、前記境界部分ユニットとの間に配置された接続ユニットとを有し、
この接続ユニットを取り外すことにより、前記境界部分ユニットを取り外すための取り外し用空間が形成されるように構成されている
ことを特徴とする断熱床下構造。
【請求項１１】
請求項８〜１０のいずれかに記載の断熱床下構造において、
前記コーナー断熱材と前記境界部分との間に防蟻機能を有する防蟻材を収納するための収納空間が形成された
ことを特徴とする断熱床下構造。
【請求項１２】
建築物の基礎で囲まれた床下部分の土間部分に前記基礎内側面に沿った状態で土間コンクリートが配置されるとともに、前記基礎内側面のうち前記土間コンクリートの上面より上側に位置する部分から前記土間コンクリートの上面に至る領域を被覆するように前記断熱材が配置された断熱床下構造に防蟻処理を施す方法であって、
前記断熱材に、前記断熱材の内側面から外側面に向けて、防蟻材充填用ノズルを挿入し、
前記充填用ノズルで、前記基礎内側面と前記土間コンクリートとの境界部分に防蟻材を充填する
ことを特徴とする防蟻処理を施す方法。
【請求項１３】
請求項１２記載の断熱床下構造に防蟻処理を施す方法において、
前記防蟻材充填用ノズルの先端を、前記基礎内側面と前記土間コンクリートとの境界部分に略当接するように前記断熱材に挿入する
ことを特徴とする防蟻処理を施す方法。
【請求項１４】
請求項１２又は１３記載の防蟻処理を施す方法において、
前記断熱床下構造に、前記基礎内側面と前記土間コンクリートとの境界部分に対して前記断熱材の内側面側から防蟻材を充填するための空間部を形成しておき、
この空間部に前記防蟻材充填用ノズルを挿入することにより、前記防蟻材を前記基礎内側面と前記土間コンクリートとの境界部分に充填する
ことを特徴とする防蟻処理を施す方法。
【請求項１５】
請求項８〜１１のいずれかに記載の断熱床下構造に防蟻処理を施す方法において、
前記空間部に設置された前記コーナー断熱材をこの部分から取り外し、前記土間側断熱材と前記基礎側断熱材との間から前記土間コンクリートの上面と前記基礎の内側面との境界部分を外部に露出させる工程と、
この露出させた境界部分に生じた間隙に防蟻機能を有する防蟻材を充填する工程と、
前記防蟻材を充填した後、前記空間部に再度前記コーナー部材を配置することにより前記境界部分を覆う工程と
を有することを特徴とする防蟻処理を施す方法。
【発明の詳細な説明】
【技術分野】
【０００１】
本発明は、基礎で囲まれた床下部分に断熱材を施した断熱床下構造において、防蟻処理を施しやすくするための断熱床下構造、及び、この断熱床下構造に防蟻処理を施す方法に関するものである。
【背景技術】
【０００２】
従来、建築物についての床下構造としては、例えば、特許文献１に記載されているものが存在する。この床下構造は、床下部分を囲むように配置された基礎と、この床下部分の土間部分に、前記基礎の内側面に沿って配置された土間コンクリートとを備えている。
【０００３】
また、このような床下構造について、断熱性能を向上させた構造としては、例えば図１１に記載のものが存在する。
【０００４】
この床下構造は、基礎１００と、土間コンクリート１２０と、断熱パネル１３０とを備えている。基礎１００は、フーチング１０１と立直部１０２とを備えた布基礎であり、建築物Ｔの下部に設置されて床下部分を囲んでいる。土間コンクリート１２０は、この床下部分のうち、土間１１０上に配置され、その外側端部は、立直部１０２の内側面１０２ａ（以下、基礎内側面１０２ａと称す。）に沿う状態で配置されている。さらに、断熱パネル１３０は、基礎側断熱パネル１３１と、土間側断熱パネル１３２とを備え、基礎内側面１０２ａのうち、土間コンクリート１２０の上面より上側の部分の内側には基礎側断熱パネル１３１が配置され、土間コンクリート１２０の上面には土間側断熱パネル１３２が配置されている。
【０００５】
すなわち、断熱パネル１３０が、基礎内側面１０２ａのうち土間コンクリート１２０の上面より上側に至る部分から、土間コンクリート１２０の上面に至る領域に配置されることにより断熱性能を向上させている。
【０００６】
この床下構造の施工は、以下の手順で行う。まず、土間１１０を掘り下げて基礎用型枠を設置し、この型枠にコンクリートを流し込んで基礎１００を形成する。次に、この基礎用型枠を取り外し、基礎内側面１０２ａより内側の土間１１０にコンクリートを流し込むことで、土間コンクリート１２０を形成する。最後に、基礎側断熱パネル１３１を前記基礎１０２ａに配置するとともに、土間側断熱パネル１３２を土間コンクリート１２０の上面に配置する。
【特許文献１】特開２００２−４４５０号公報
【発明の開示】
【発明が解決しようとする課題】
【０００７】
従来の施工方法で前記床下構造を施工した場合、前記土間コンクリート１２０を形成すべく、基礎内側面１０２ａにコンクリートを流しこむことになるが、このコンクリートが乾燥することに伴い、コンクリート自身が収縮し、基礎内側面１０２ａと土間コンクリート１２０との境界部分１４０に間隙が生ずることになる。そのため、土間１１０からこの間隙を伝って白蟻等の害虫が這い上がり、断熱パネル１３０等に食害を与える可能性がある。
【０００８】
そこで、この間隙に防蟻材を充填することにより、このような食害が生ずることを阻止することが行われてきた。
【０００９】
しかしながら、基礎内側面１０２ａのうち土間コンクリート１２０の上面より上側に位置する部分から土間コンクリート１２０の上面に至る領域には、断熱パネル１３０が配置されているため、この境界部分１４０の上端部分は、この断熱パネル１３０に被覆されることになり、このままの状態では境界部分１４０の間隙に防蟻材を充填することが出来ない。
【００１０】
そのため、従来は、基礎側断熱パネル１３１又は土間側断熱パネル１３２のうち、境界部分１４０の上端面を被覆する断熱パネルを、土間コンクリート１２０の上面又は基礎内側面１０２ａから取り外し、境界部分１４０の上端面を露出させた状態で防蟻材を充填し、さらに、取り外した断熱パネルを、取り外す前の状態に配置することにより行う必要がある。
【００１１】
したがって、この床下構造に防蟻処理を行うべく、境界部分１４０の間隙に防蟻材を充填する場合、多大な手間を必要としていた。
【００１２】
特に、基礎側断熱パネル１３１は前記基礎１００の内側面１０２ａに、土間側断熱パネル１３２は土間コンクリート１２０の上面に、接着材等で固着されている場合が多く、これらの断熱パネルを取り外す場合、一度これらの断熱パネルを剥がし、その後再び新しい断熱パネルを固定する必要があるため、多大な手間を要していた。
【００１３】
また、防蟻材の寿命は永久的に持続するものではないため、定期的に境界部分１４０の間隙に防蟻材を充填する必要があるが、この場合も、前述のような手順で行う必要があり、多大な手間を要していた。
【００１４】
そこで、本発明は、基礎の内側面及びコンクリート基礎の上面部分に亘って断熱パネル、すなわち断熱材が配置された建築物の床下構造において、基礎の内側面と土間コンクリートとの境界部分に生じた間隙に、防蟻材を充填しやすい床下構造を提供することにより、防蟻処理を行うための作業にかかる手間を軽減することを目的とする。
【課題を解決するための手段】
【００１５】
請求項１記載の発明は、建築物の基礎で囲まれた床下部分に断熱材を配置した断熱床下構造であって、前記床下部分の土間部分に基礎内側面に沿った状態で土間コンクリートが配置され、前記基礎内側面のうち前記土間コンクリートの上面より上側に位置する部分から前記土間コンクリートの上面に至る領域を被覆するように前記断熱材が配置され、前記基礎内側面と前記土間コンクリートとの境界部分に対して前記断熱材の内側面側から防蟻材を充填するための空間部が形成されているものである。
【００１６】
なお、本発明での「防蟻材」には、防蟻機能を有する液体状の防蟻薬剤、防蟻機能を有する粒子、紛体等が含まれる。
【００１７】
請求項２記載の発明は、請求項１記載の断熱床下構造において、前記断熱材は、前記土間コンクリートの上面を被覆する土間側断熱材と、前記基礎内側面を被覆する基礎側断熱材とを備え、前記土間側断熱材と前記基礎側断熱材とが所定間隔を空けて配置されることにより両断熱材の間に前記空間部が形成されているものである。
【００１８】
請求項３記載の発明は、請求項２記載の断熱床下構造において、前記土間側断熱材の下端部分及び前記基礎側断熱材の外端部分に各々傾斜面が形成され、この傾斜面同士が一定間隔を空けて対向するように配置されることにより、前記断熱材の内側面から前記基礎内側面と前記土間コンクリートとの境界部分に向けて略一定の隙間をもつ前記間隙部が形成されたものである。
【００１９】
請求項４記載の発明は、請求項１〜３のいずれかに記載の断熱床下構造において、前記空間部は、前記断熱材の内側面から前記基礎内側面と前記土間コンクリートとの境界部分に向けて略一直線の隙間をもつ形状に形成されたものである。
【００２０】
請求項５記載の発明は、請求項１〜４のいずれかに記載の断熱床下構造において、前記空間部は、前記基礎内側面と前記土間コンクリートとの境界部分に沿って延びる形状に形成されたものである。
【００２１】
請求項６記載の発明は、請求項１〜５のいずれかに記載の断熱床下構造において、前記土間コンクリートと前記土間との間に遮断シートが配置され、この遮断シートの端部は、前記基礎内側面に当接されているものである。
【００２２】
請求項７記載の発明は、請求項１〜６のいずれかに記載の断熱床下構造において、前記基礎内側面に沿った土間部分に防蟻性能を有する土間用防蟻材を配置したものである。
【００２３】
請求項８記載の発明は、請求項１〜７のいずれかに記載の断熱床下構造において、  前記断熱材は、前記断熱材に形成された前記空間部の少なくとも一部を埋めるように着脱可能に設置されるコーナー断熱材を有するものである。
【００２４】
請求項９記載の発明は、請求項８記載の断熱床下構造において、前記断熱材のうち、前記空間部に臨む面は、前記空間部の開口が前記断熱材の内側に向かって大きくなるように傾斜面とされ、前記コーナー断熱材には、前記傾斜面と対向する傾斜面が形成されたものである。
【００２５】
請求項１０記載の発明は、請求項８又は９記載の断熱床下構造において、前記コーナー断熱材は、前記土間コンクリートの上面と前記基礎内側面との境界部分を覆う位置に配置された境界部分ユニットと、前記土間側断熱材及び前記基礎側断熱材のうち少なくとも一方の断熱材と、前記境界部分ユニットとの間に配置された接続ユニットとを有し、この接続ユニットを取り外すことにより、前記境界部分ユニットを取り外すための取り外し用空間が形成されるように構成されているものである。
【００２６】
請求項１１記載の発明は、請求項８〜１０のいずれかに記載の断熱床下構造において、前記コーナー断熱材と前記境界部分との間に防蟻機能を有する防蟻材を収納するための収納空間が形成されたものである。
【００２７】
請求項１２記載の発明は、建築物の基礎で囲まれた床下部分の土間部分に前記基礎内側面に沿った状態で土間コンクリートが配置されるとともに、前記基礎内側面のうち前記土間コンクリートの上面より上側に位置する部分から前記土間コンクリートの上面に至る領域を被覆するように前記断熱材が配置された断熱床下構造に防蟻処理を施す方法であって、前記断熱材に、前記断熱材の内側面から外側面に向けて、防蟻材充填用ノズルを挿入し、前記充填用ノズルで、前記基礎内側面と前記土間コンクリートとの境界部分に防蟻材を充填するものである。
【００２８】
請求項１３記載の発明は、請求項１２記載の断熱床下構造に防蟻処理を施す方法において、前記防蟻材充填用ノズルの先端を、前記基礎内側面と前記土間コンクリートとの境界部分に略当接するように前記断熱材に挿入するものである。
【００２９】
請求項１４記載の発明は、請求項１２又は１３記載の防蟻処理を施す方法において、前記断熱床下構造に、前記基礎内側面と前記土間コンクリートとの境界部分に対して前記断熱材の内側面側から防蟻材を充填するための空間部を形成しておき、この空間部に前記防蟻材充填用ノズルを挿入することにより、前記防蟻材を前記基礎内側面と前記土間コンクリートとの境界部分に充填するものである。
【００３０】
請求項１５記載の発明は、請求項８〜１１のいずれかに記載の断熱床下構造に防蟻処理を施す方法において、前記空間部に設置された前記コーナー断熱材をこの部分から取り外し、前記土間側断熱材と前記基礎側断熱材との間から前記土間コンクリートの上面と前記基礎の内側面との境界部分を外部に露出させる工程と、この露出させた境界部分に生じた間隙に防蟻機能を有する防蟻材を充填する工程と、前記防蟻材を充填した後、前記空間部に再度前記コーナー部材を配置することにより前記境界部分を覆う工程とを有するものである。
【発明の効果】
【００３１】
請求項１記載の発明の構成を採ると、前記基礎内側面と前記土間コンクリートとの境界部分に対して前記断熱材の内側面側から防蟻材を充填するための空間部が形成されているため、前記基礎内側面のうち前記土間コンクリートの上面より上側に位置する部分から前記土間コンクリートの上面に至る領域が前記断熱材により被覆された状態であっても、この断熱材を取り外すことなく前記境界部分に生じた間隙に防蟻材を充填することが可能となる。
【００３２】
すなわち、前記間隙に防蟻材を充填する際、従来のように前記断熱材を取り外してから前記間隙に防蟻材を充填するという作業を採る必要がなく、防蟻材を充填する作業の手間を軽減することが可能となる。
【００３３】
請求項２記載の発明の構成を採ると、前記土間用断熱材と前記基礎側断熱材とを所定間隔を空けて配置するだけで、前記空間部を簡単に形成することが出来る。
【００３４】
請求項３記載の発明の構成を採ると、前記空間部は略一定の隙間をもつ形状に形成されているため、前記境界部分に防蟻材を充填するための空間を確保しつつ、前記隙間が不必要に拡大することを防いで良好な防蟻性能を確保することが出来る。
【００３５】
請求項４記載の発明の構成を採ると、前記空間部は、断熱パネルの内側面から断熱パネルの外側面にかけて略直線状に形成されているため、前記防蟻材の充填状態を目視で確認することも可能となる。
【００３６】
さらに、この空間部は、前述のとおり略直線状に形成されているため、例えば防蟻材充填用ノズルを用いて前記基礎内側面と前記土間コンクリートとの境界部分に前記防蟻材を充填する際、前記境界部分に略当接させるように前記防蟻材充填用ノズルの先端を挿入することが容易となる。したがって、境界部分に前記防蟻材をより確実に充填することが出来、境界部分に生じた間隙に、防蟻材をより確実に充填することが可能となる。
【００３７】
請求項５記載の発明の構成を採ると、前記空間部は、前記基礎内側面と前記土間コンクリートとの境界部分に沿って延びる形状に形成されているため、前記防蟻材充填用ノズルを前記空間部に挿入した状態のまま、このノズルを前記空間部が延びる方向に移動させることが出来る。したがって、前記境界部分に生じた間隙に防蟻材を充填する作業にかかる手間を軽減することが可能となる。
【００３８】
請求項６記載の発明の構成を採ると、前記土間コンクリートと前記土間との間に遮断シートが配置されているため、防蟻効果を向上させることが可能となる。
【００３９】
請求項７記載の発明の構成を採ると、前記基礎内側面に沿った土間部分に防蟻性能を有する土間用防蟻材を配置しているため、防蟻効果をさらに向上させることが可能となる。
【００４０】
請求項８記載の発明の構成を採ると、請求項１５記載の発明のように、前記断熱材のうち、前記土間側断熱材と前記基礎側断熱材とは固定された状態のまま前記空間部に配置されたコーナ断熱材のみを取り外す、すなわち前記断熱材を局所的に取り外すだけで、前記土間コンクリートの上面と前記基礎の内側面との境界部分を露出させることが出来、この状態で前記境界部分に生じた間隙に前記防蟻材を充填させることが可能となる。
【００４１】
したがって、前記間隙に前記防蟻材を充填させるとき、従来のように断熱材の大部分を取り外す必要はなく、前記間隙に前記充填材を充填させるためにかかる手間を軽減することが出来る。
【００４２】
さらに、前記間隙に前記充填材を充填させた後に、前記コーナー断熱材を前記空間部に配置するだけで、前記境界部分を前記コーナー断熱材で被覆することが出来るため、簡単な作業で良好な断熱性能を有する状態に復帰させることが出来る。
【００４３】
またさらに、前記間隙に防蟻材を充填する作業を容易に行うために前記空間部を比較的大きく形成しても、前記間隙に前記充填材を充填させた後は、前記コーナー断熱材を前記空間部に配置することで良好な断熱性能を有する状態に復帰させることが出来る。
【００４４】
ここでコーナー断熱材は、両断熱材に挟まれて奥まった位置にあるが、請求項９記載の発明では、前記断熱床下構造において、前記断熱材のうち、前記空間部に臨む面に、前記空間部の断面積がその奥側から開口側に向かって大きくなるように傾斜面が形成されているため、前記断熱材の内側から前記コーナー断熱材を取り外すことが容易となり、前記土間側断熱材と前記基礎側断熱材との間から前記土間コンクリートの上面と前記基礎の内側面との境界部分を露出させることが容易となる。さらに、前述の通り、前記空間部の断面積がその奥側から開口側に向かって大きくなるように傾斜面が形成されているため、前記断熱材の内側面側から前記境界部分を視認し易くすることが出来る。
【００４５】
また、請求項１０に記載の発明の構成を採っても、このコーナー断熱材が、前記接続ユニットと前記境界部分ユニットとに分割されており、これらのユニットのうち比較的取り外し易い前記接続ユニットを先に取り外すことにより前記境界部分ユニットを取り外すための取り外し用空間を形成することが出来るため、この空間を利用して奥側の境界部分ユニットも簡単に取り外すことが出来、前記コーナー断熱材を取り外すことが容易となる。
【００４６】
請求項１１記載の発明の構成を採ると、前記コーナー断熱材の側面と前記境界部分との間に前記収納空間が形成されているため、前記防蟻材を前記境界部分の間隙に充填した際、前記間隙に入りきらなかった防蟻材が前記境界部分の上端面に溢れたとしても、前記収納空間にこれらの防蟻材を収納することが可能となり、これらの余剰の防蟻材によって、前記コーナー断熱材を再度配置するためのスペースが侵食されてしまうのを回避することが可能となる。
【００４７】
請求項１２記載の発明では、前記断熱材に、前記断熱材の内側面から外側面に向けて防蟻材充填用ノズルを挿入し、前記防蟻材充填用ノズルで、前記基礎内側面と前記土間コンクリートとの境界部分に防蟻材を充填するため、前記基礎内側面のうち前記土間コンクリートの上面より上側に位置する部分から前記土間コンクリートの上面に至る領域が前記断熱材により被覆された状態であっても、前記基礎内側面と前記土間コンクリートとの境界部分に生じた間隙に防蟻材を充填することが可能となる。
【００４８】
したがって、前記間隙に防蟻材を充填する際、従来のように前記防蟻材を取り外してから前記間隙に防蟻材を充填するという作業を採る必要がなく、防蟻材を充填する作業の手間を軽減することが可能となる。
【００４９】
請求項１３記載の発明では、前記防蟻材充填用ノズルの先端を、前記基礎の前記土間コンクリートとの境界部分に略当接するように前記断熱材に挿入するため、前記基礎内側面と前記土間コンクリートとの境界部分に、防蟻材をより確実に充填することが出来、前記間隙に防蟻材をより確実に充填することが可能となる。
【００５０】
請求項１４記載の発明では、前記防蟻材充填用ノズルを前記空間部に挿入するため、前記防蟻材充填用ノズルで前記基礎内側面と前記土間コンクリートとの境界部分に充填材を充填することをより確実に行うことが出来、前記間隙に防蟻材をより確実に充填することが可能となる。
【発明を実施するための最良の形態】
【００５１】
第一実施形態（図１、図２参照。）
図１は本実施形態における構造の概要図を示すものである。本図において、地盤Ｅに基礎１００が設置され、その上に建築物Ｔが設置されている。
【００５２】
基礎１００は、図例では、フーチング１０１と、フーチング１０１の上に配置された立直部１０２とを備えた布基礎であり、前記建築物Ｔの床下部分（本図においては基礎１００の右側部分。図２以降においても同様とする。）を取り囲むようにして地盤Ｅに設置されている。
【００５３】
床下部分に該当する地盤Ｅの表面、すなわち土間１１０の上面には、土間コンクリート１２０が床下部分の略全面を覆うように配置され、この土間コンクリート１２０の端面は、前記フーチング１０１の内側面１０２ａ（基礎内側面に相当。以下基礎内側面１０２ａと称す。）に沿った状態で配置されている。
【００５４】
なお、本実施形態の説明で以下に記載される「内側」とは、基礎１００を基準にして床下側（図１、図２においては、基礎１００を基準として右方向に向けての方向）を意味する。ただし、断熱パネル１３０（後述）の「内側面」の意味については後述する。
【００５５】
さらに、基礎内側面１０２ａのうち土間コンクリート１２０の上面より上側に位置する部分から、土間コンクリート１２０の上面に至る領域を被覆するように断熱パネル１３０が配置されている。
【００５６】
この断熱パネル１３０は、基礎側断熱パネル１３１と、土間側断熱パネル１３２とを備え、基礎側断熱パネル１３１は基礎内側面１０２ａに固着され、土間側断熱パネル１３２は、土間コンクリート１２０の上面に固着されている。
【００５７】
そして、基礎側断熱パネル１３１の下端部分、及び、土間側断熱パネル１３２の外端部分には、各々傾斜面１３１ａ、１３２ａが形成され、この傾斜面１３１ａ、１３２ａ同士が一定間隔を空けて対向するように配置されることにより、略一定の隙間を持つ空間部１４２が形成されている。なお、前記一定間隔としては、断熱パネル１３０の断熱性能を維持しつつも防蟻材を基礎内側面１０２ａと土間コンクリート１２０との境界部分１４０に充填すべく、防蟻材を充填するための必要最小限の大きさとするのが好ましい。具体的には、後述のピストルノズルｎが、若干隙間を持って挿入する程度が好ましい。
【００５８】
また、空間部１４２は、基礎側断熱パネル１３１の内側面及び土間側断熱パネル１３２の上面、すなわち断熱パネル１３０の内側面から、基礎内側面１０２ａと土間コンクリート１２０との境界部分１４０、すなわち断熱パネル１３０の外側面にかけて略直線状に形成されるとともに、この境界部分１４０に沿って延びる形状に形成されている。
【００５９】
なお、土間側断熱パネル１３２は、土間コンクリート１２０の上面の略全面を覆うように土間コンクリート１２０上に固着させてもよいし、土間コンクリート１２０の上面のうち、基礎内側面１０２ａの近傍部分のみを覆う状態で土間コンクリート１２０上に固着させてもよい。
【００６０】
次に、境界部分１４０に防蟻材を充填する方法を図２を用いて説明する。
【００６１】
まず、空間部１４２に、断熱パネル１３０の内側面からピストルノズルｎ（防蟻材充填用ノズル）を挿入する。なお、このノズルｎの先端は、境界部分１４０のうち、土間コンクリート１２０の上面と基礎内側面１０２ａとの境界部分１４１に略当接する状態とする。その後、ピストルノズルｎから防蟻材を噴出させ、境界部分１４０に防蟻材を充填する。この充填により、境界部分１４０に生じた間隙や亀裂に防蟻材が充填される。
【００６２】
なお、防蟻材は、防蟻機能を有し、かつ、境界部分１４０に充填可能な形状を有するものであれば、特に限定されるものではない。例えば、液体状の防蟻薬剤の他、これらの防蟻薬剤を練りこんだゲル状、微粒子状、紛体状、等の防蟻材を使用することが出来る。
【００６３】
以上の構成を採ると、基礎内側面１０２ａと土間コンクリート１２０との境界部分１４０に対し、断熱パネル１３０の内側面から前記境界部分１４０に向けて空間部１４２が形成されているため、前記基礎内側面１０２ａのうち、土間コンクリート１２０の上面より上側に位置する部分から、前記土間コンクリート１２０の上面に至る領域が、断熱パネル１３０によって被覆された状態であっても、この断熱パネル１３０を取り外すことなく、境界部分１４０に生じた間隙や亀裂に防蟻材を充填することが可能となる。
【００６４】
したがって、境界部分１４０に生じた間隙や亀裂に防蟻材を充填する際、従来のように断熱パネル１３０を取り外してから前記間隙や亀裂に防蟻材を充填するという作業を採る必要がなく、防蟻材を充填する作業の手間を軽減することが可能となる。
【００６５】
また、空間部１４２は、傾斜面１３１ａ、１３２ａ同士を一定間隔空けた状態で、基礎側断熱パネル１３１を基礎内側面１０２ａに配置するとともに、土間側断熱パネル１３２を土間コンクリート１２０の上面に配置するのみで簡単に形成することが出来る。
【００６６】
さらに、空間部１４２は、略一定の間隔を持つ形状に形成されており、この間隔は、境界部分１４０に防蟻材を充填するための必要最小限の大きさに設定されているため、空間部１４２を形成するために形成された基礎側断熱パネル１３１と土間側断熱パネル１３２の間に形成される隙間を可及的に小さくすることが出来る。すなわち、空間部１４２が略一定の間隔を持たない形状である場合、前記のように必要最小限の大きさに設定しようとしても、前記間隔にムラがある以上、必要最小限の大きさに設定することができない。したがって、前記防蟻材を充填するための空間部１４２の大きさを確保しつつも、良好な断熱効果を確保することが出来る。
【００６７】
また、空間部１４２は、断熱パネル１３０の内側面から断熱パネル１３０の外側面にかけて略直線状に形成されているため、断熱パネル１３０の内側面側から境界部分１４０を目視で確認することも出来るため、前記防蟻材の充填状態を目視で確認することも可能となる。さらに、ピストルノズルｎの先端を、境界部分１４０に略当接するように挿入することが容易となり、境界部分１４０に前記防蟻材をより確実に充填することが出来る。すなわち、境界部分１４０に生じた間隙や亀裂に、防蟻材をより確実に充填することが可能となる。
【００６８】
また、前記空間部１４２に断熱パネル１３０の内側面からピストルノズルｎを挿入した状態で、このノズルｎから前記防蟻材を噴出させるため、前記境界部分１４０の間隙に防蟻材を充填することをより確実に行うことが可能となる。
【００６９】
またさらに、空間部１４２は、境界部分１４０に沿って延びる形状に形成されているため、境界部分１４０に防蟻材を充填するとき、前記ピストルノズルｎを空間部１４２に挿入した状態のまま、このノズルｎを空間部１４２が延びる方向に移動させることにより充填することが可能となる。したがって、境界部分１４０に防蟻材を充填する作業にかかる手間を軽減することが可能となる。
【００７０】
さらに、このノズルｎの先端を、境界部分１４０のうち、土間コンクリート１２０の上面と基礎内側面１０２ａとの境界部分１４１に略当接する状態で、前記ノズルｎから前記防蟻材を噴出させるため、前記境界部分１４０の間隙に防蟻材を充填することをより確実に行うことが可能となる。
【００７１】
以下、他の実施形態において、説明する。なお、以下の実施形態において、第一実施形態と同形態の部分については、同一符号のみを付し、その詳細な説明は省略する。
【００７２】
第二実施形態（図３、図４参照。）
本実施形態は、図３に図示した通り、基礎側断熱パネル１３１、及び、土間側断熱パネル１３２の端面に傾斜面を形成せず、土間側断熱パネル１３２の外端面を基礎内側面１０２ａから若干離した状態でこの土間側断熱パネル１３２を土間コンクリート１２０の上面に配置し、土間側断熱パネル１３２の上面に、土間側断熱パネル１３２の上面から若干離した状態で、基礎側断熱パネル１３１を基礎内側面１０２ａに配置することにより、空間部１４２を形成したものである。
【００７３】
この構成を採っても、空間部１４２に前記防蟻材を充填することにより、基礎内側面１０２ａと土間コンクリート１２０との境界部分１４０に防蟻材を充填することが出来る。
【００７４】
なお、図４のように、基礎側断熱パネル１３１を、土間コンクリート１２０の上面から若干離した状態で基礎内側面１０２ａに配置し、基礎側断熱パネル１３１の内側に、この基礎側断熱パネル１３１の内側面から若干離した状態で、土間側断熱パネル１３２を土間コンクリート１２０上に配置することにより、空間部１４２を形成することも可能である。
【００７５】
第三実施形態（図５、図６参照）
この断熱パネル１３０は、前述のとおり、前記基礎側断熱パネル１３１及び前記土間側断熱パネル１３２とを備える他、コーナー用断熱パネル１３３を備えている。
【００７６】
コーナー用断熱パネル１３３は、基礎側断熱パネル１３１と土間側断熱パネル１３２との間に形成された空間部１４２（図６（ｂ）、図６（ｃ）参照）に配置され、境界部分ユニット１３４と接続ユニット１３５とを備えている。また、この両ユニット１３４、１３５は、共に着脱可能な状態で土間コンクリート１２０の上面に配置されている。
【００７７】
境界部分ユニット１３４は、空間部１４２のうち、基礎側断熱パネル１３１の下端面と土間コンクリート１２０の上面との間に形成された部分に入り込む状態、すなわち奥まった状態で、土間コンクリート１２０の上面に配置されている。なお、基礎側断熱パネル１３１の下端面と境界部分ユニット１３４の上端面は略当接している。すなわち、境界部分ユニット１３４は、前記境界部分１４０を被覆する状態で配置されている。
【００７８】
接続ユニット１３５は、前記空間部１４２のうち、この境界部分ユニット１３４と土間側断熱パネル１３２との間に形成された取り外し用空間１４３に配置されており、境界部分ユニット１３４及び土間側断熱パネル１３２に略当接する状態で配置されている。
【００７９】
さらに、境界部分ユニット１３４と境界部分１４０との間には、収納空間１４４が形成されている。
【００８０】
なお、基礎側断熱パネル１３１の下端面と境界部分ユニット１３４の上端面は必ずしも当接している必要はなく、若干隙間が生じても良い。また、接続ユニット１３５と境界部分ユニット１３４との間、及び、接続ユニット１３５と土間側断熱パネル１３２との間にも若干隙間が生じてもよい。もっとも、断熱性能の観点からは、これらの隙間が生じないように構成したほうがより好ましい。
【００８１】
次に、境界部分１４０に防蟻材を充填する方法を図６（ａ）〜図６（ｄ）を用いて説明する。
【００８２】
工程１（図６（ａ）参照）：接続ユニット１３５を、土間コンクリート１２０の上面から取り外す。これにより、境界部分ユニット１３４の手前に取り外し用空間１４３が形成される。
【００８３】
工程２（図６（ｂ）参照）：前記取り外し用空間１４３を利用して境界部分ユニット１３４を、手前側に引き出すようにして土間コンクリート１２０の上面から取り外す。これにより、境界部分１４０のうち、土間コンクリート１２０の上面と基礎内側面１０２ａとの境界部分１４１が露出する。
【００８４】
工程３（図６（ｃ）参照）：空間部１４２にピストルノズルｎを挿入し、このノズルｎから前記防蟻材を噴出させることにより、境界部分１４０に生じた間隙や亀裂に防蟻材を充填する。
【００８５】
工程４（図６（ｄ）参照）：境界部分ユニット１３４を、再び前記奥まった位置に配置することにより、境界部分１４０を被覆する。最後に、境界部分ユニット１３４と土間側断熱パネル１３２との間に存在する空間に接続ユニット１３５を配置し、図１に図示した状態に戻す。
【００８６】
以上の構成を採ると、断熱パネル１３０の前記断熱材のうち、前記基礎側断熱パネル１３１及び前記土間側断熱パネル１３２は固定された状態のまま、前記空間部１４２に配置されたコーナー用断熱パネル１３３のみを取り外す、すなわち前記断熱パネル１３０を局所的に取り外すだけで、前記境界部分１４０のうち、土間コンクリート１２０の上面と前記基礎内側面１０２ａとの境界部分１４１を露出させることが出来、この状態で境界部分１４０に生じた間隙や亀裂に前記防蟻材を充填させることが可能となる。
【００８７】
したがって、前記間隙に前記防蟻材を充填させるとき、従来のように断熱材の大部分を取り外す必要はなく、前記間隙に前記充填材を充填させるためにかかる手間を軽減することが出来る。
【００８８】
さらに、前記間隙に前記充填材を充填させた後は、コーナー用断熱パネル１３３を再度前記空間部１４２に配置するだけで、境界部分１４０の上端１４１をコーナー用断熱パネル１３３で被覆することが出来るため、簡単な作業で良好な断熱性能を有する状態に復帰させることが出来る。
【００８９】
また、前記接続ユニット１３５は、前記空間部１４２の奥まった位置には配置されておらず、比較的土間コンクリート１２０の上面から取り出しやすい位置に配置されており、さらに、この接続ユニット１３５を、土間コンクリート１２０の上面から取り外すことにより、境界部分ユニット１３４を取り外すための取り外し用空間１４３が形成されるため、境界部分ユニット１３４が、奥まった位置に配置されている場合であっても、この境界部分ユニット１３４を土間コンクリート１２０の上面から簡単に取り外すことが出来る。
【００９０】
さらに、境界部分ユニット１３４と境界部分１４０との間に収納空間１４４が形成されているため、前記防蟻材を境界部分１４０の間隙に充填した際、この間隙に入りきらなかった防蟻材が土間コンクリート１２０の上面と前記基礎内側面１０２ａとの境界部分１４１から溢れたとしても、この収納空間１４４にこれらの防蟻材を収納することが可能となり、これらの余剰の防蟻材によって、境界部分ユニット１３４等の断熱パネル１３０を再度配置するためのスペースが侵食されてしまうのを回避することが可能となる。
【００９１】
第四実施形態（図７（ａ）、（ｂ）参照。）
図７（ａ）は、コーナー用断熱パネル１３３を空間部１４２から取り外した状態を示し、図７（ｂ）は、コーナー用断熱パネル１３３を空間部１４２に配置した状態を示したものである。本実施形態は、前記土間側断熱パネル１３２の外端部分、すなわち前記空間部１４２に臨む部分に傾斜面１３２ａを形成するとともに、前記コーナー用断熱パネル１３３のうち、土間側断熱パネル１３２の傾斜面１３２ａと対向する部分にも傾斜面１３３ａを形成したものである。
【００９２】
この土間側断熱パネル１３２の傾斜面１３２ａは、前記空間部１４２が断熱パネル１３０の内側に向けてその断面積が大きくなる形状、すなわち、この傾斜面１３２ａは、空間部１４２が奥側から開口側に向けて広がる形状に形成されている。
【００９３】
さらに、前記収納空間１４４は、土間コンクリート１２０の外端面の上端を切り欠いた形状にすることにより形成されている。
【００９４】
この構成を採ると、前記空間部１４２が断熱パネル１３０の内側に向けてその断面積が大きくなる形状に形成されているため、断熱パネル１３０の内側からコーナー用断熱パネル１３３を取り外すことが容易になるとともに、断熱パネル１３０の内側面側から前記境界部分１４０を視認し易くなる。
【００９５】
なお、図７（ａ）、（ｂ）においては、土間側断熱パネル１３２のうち、空間部１４２に臨む部分に傾斜面１３２ａを形成しているが、この実施形態に限定されるものではない。例えば、基礎側断熱パネル１３１の下端部分、すなわち基礎側断熱パネル１３１のうち空間部１４２に臨む部分に傾斜面１３１ａを形成し、この傾斜面１３１ａと対向するように前記コーナー用断熱パネル１３３に傾斜面１３３ａを形成してもよい。
【００９６】
また、収納空間１４４は、土間コンクリート１２０を切り欠く形状に形成することにより形成されるものに限定されるものではなく、例えば、立直部１０２の一部を切り欠く形状にすることにより形成してもよいし、コーナー用断熱パネル１３３の一部を切り欠くことにより形成してもよい（図８参照）。
【００９７】
第五実施形態（図８参照。）
本実施形態の基礎１００はべた基礎であり、土間１１０上に配置される底面部１０３（土間コンクリートに相当）と、立直部１０４とを備え、底面部１０３と立直部１０４との境界部分１４０に打ち継ぎ部を形成することにより、底面部１０３と立直部１０４とが接続した状態で構成されている。
【００９８】
また、前記断熱パネル１３０の基礎側断熱パネル１３１は、立直部１０４の内側面１０４ａ（基礎内側面に相当。）に固着され、土間側断熱パネル１３２は、底面部１０３の上面に固着されている。
【００９９】
さらに、コーナー用断熱パネル１３３は、第三及び第四実施形態と同様、基礎側断熱パネル１３１と土間側断熱パネル１３２との間に形成された空間部（図示せず）に配置され、底面部１０３の上面と立直部１０４との境界部分１４１を被覆している。
【０１００】
この構成を採っても、第三及び第四実施形態の場合と同様、コーナー用断熱パネル１３３のみを着脱させるだけで、前記土間コンクリート１２０と前記基礎の内側面との境界部分１４０の上端１４１を露出させたり、この境界部分１４０を被覆したりすることが可能となる。
【０１０１】
したがって、簡単な作業で、境界部分１４０に生じた間隙に前記充填材を充填させることができるとともに、良好な断熱性能を有する状態に復帰させることが出来る。
【０１０２】
第六実施形態（図９参照。）
本実施形態は、土間１１０と土間コンクリート１２０との間に白蟻、湿気等を遮断するための遮断シート１５０が配置され、この遮断シート１５０の外側端部は、基礎内側面１０２ａに沿って立直するように配置されている。なお、この遮断シート１５０には、防蟻薬剤が練りこまれることにより防蟻効果が付与されている。
【０１０３】
この構成を採ると、この遮断シート１５０で土間１１０から白蟻が這い上がることを阻止することが出来るため、より防蟻効果を高めることが可能となる。
【０１０４】
第七実施形態（図１０参照。）
本実施形態は、土間１１０のうち、基礎内側面１０２ａと接触する部分には、溝部が形成され、この溝部の底部と、その内側の土間１１０は、遮断シート１５０によって被覆されている。さらに、この溝部において、遮断シート１５０の上面には、防蟻機能を付与した土間用防蟻材１６０が充填されている。
【０１０５】
なお、土間用防蟻材１６０には、境界部分１４０に充填する防蟻材と同様、液体状、ゲル状、微粒子状、紛体状に形成された防蟻材を使用することが出来る他、比較的大きな粒径を有するものも使用することが可能である。
【０１０６】
この構成を採ると、特に多くの白蟻が這い上がる地点となる箇所となる前記基礎内側面１０２ａに沿った土間１１０の部分に、防蟻性能を有する土間用防蟻材１６０を配置しているため、防蟻効果をさらに向上させることが可能となる。
【０１０７】
その他実施形態
一．断熱パネル１３０は、必ずしも基礎側断熱パネル１３１と土間側断熱パネル１３２とを備える必要はなく、Ｌ字断面状の断熱パネルを用いて、基礎内側面１０２ａと土間コンクリート１２０の上面とを被覆してもよい。この場合、空間部１４２は、例えば、断熱パネル１３０の内側面から外側面に向けて穴を開けることにより形成することが可能である。
【０１０８】
二．空間部１４２は、必ずしも形成する必要はなく、ピストルノズルｎを断熱パネル１３０の内側面側から貫入させ、このノズルｎの先端を外側面側へと貫通させることにより、基礎内側面１０２ａと土間コンクリート１２０との境界部分１４０に、防蟻材を充填させることも可能である。
【図面の簡単な説明】
【０１０９】
【図１】本発明の第一実施形態に係る床下防蟻構造を示した概略図である。
【図２】本発明の第一実施形態に係る床下防蟻構造に、防蟻材を充填する際の状態を示した概略図である。
【図３】本発明の第二実施形態の一実施形態に係る床下防蟻構造を示した概略図である。
【図４】本発明の第二実施形態の一実施形態に係る床下防蟻構造を示した概略図である。
【図５】本発明の第三実施形態に係る床下防蟻構造を示した概略図である。
【図６】（ａ）〜（ｄ）は、本発明の第三実施形態に係る床下防蟻構造の施工手順を示した概略図である。
【図７】本発明の第四実施形態に係る床下防蟻構造のうち、（ａ）は、コーナー用断熱パネルを空間部から取り外した状態を示し、（ｂ）は、コーナー用断熱パネルを空間部に配置した状態を示したものである。
【図８】本発明の第五実施形態に係る床下防蟻構造を示した概略図である。
【図９】本発明の第六実施形態に係る床下防蟻構造を示した概略図である。
【図１０】本発明の第七実施形態に係る床下防蟻構造を示した概略図である。
【図１１】従来技術に係る床下防蟻構造を示した概略図である。
【符号の説明】
【０１１０】
１００  基礎
１０１  フーチング
１０２ａ  基礎内側面
１０３  底面部
１３０  断熱パネル
１３１ａ，１３２ａ，１３３ａ  傾斜面
１３１  基礎側断熱パネル
１３２  土間側断熱パネル
１３３  コーナー用断熱パネル
１３４  境界部分ユニット
１３５  接続ユニット
１４０  境界部分
１４１  土間コンクリートの上面と基礎内側面との境界部分
１４２  空間部
１４３  取り外し用空間
１４４  収納空間
１５０  遮断シート
１６０  土間用防蟻材
ｎ  ピストルノズル（防蟻材充填用ノズル）
Ｔ  建築物
【図１】
2005083137.tif 000003
【図２】
2005083137.tif 000004
【図３】
2005083137.tif 000005
【図４】
2005083137.tif 000006
【図５】
2005083137.tif 000007
【図６】
2005083137.tif 000008
【図７】
2005083137.tif 000009
【図８】
2005083137.tif 000010
【図９】
2005083137.tif 000011
【図１０】
2005083137.tif 000012
【図１１】
2005083137.tif 000013